(57)【要約】【課題】コストアップを招くことなく制御が容易な車両用ステップ構造を提供する。【解決手段】ステップ２を各アーム１２，２２に支持された主踏面４１と主踏面４１に回動可能に支持されたフラップ４２で構成し、フラップ４２を、主踏面４１の延長上に配置した傾倒状態５１と主踏面４１に対して起立した起立状態６１とを形成可能に構成する。駆動部７１のモーター７２で駆動アーム２２を回動して格納状態３２と展開状態３１を形成可能に構成し、駆動アーム２２のスイング動作に連動してフラップ４２を駆動する連動機構１２１を設ける。【選択図】図１
2008222183.tif 000002
【特許請求の範囲】
【請求項１】
ステップを支持したアームをスイングして当該ステップを車両の側方へ延出した展開状態と車両下部側に引き寄せた格納状態とを形成するスイング可動式であって、前記ステップが主踏面と該主踏面に回動可能に支持されたフラップとで構成され、前記格納状態で前記フラップが前記主踏面に対して起立されるとともに前記展開状態で前記フラップが前記主踏面の延長上に配置される車両用ステップ構造において、
前記格納状態及び前記展開状態間で前記アームを回動する駆動源と、
前記アームのスイング動作に連動して前記フラップを駆動する連動機構と、
を備えたことを特徴とする車両用ステップ構造。
【請求項２】
前記主踏面に回動自在に支持された前記アームと前記主踏面に回動自在に支持された回動リンクとを連結リンクで連結して前記アームのスイング動作を前記回動リンクの回転動作に変換するとともに、
前記主踏面に支持された前記フラップと前記回動リンクとの間にプッシュロッドを設け、前記回動リンクの回転動作に伴って前記プッシュロッドを長さ方向へ移動して前記主踏面に対する前記フラップの角度を可変するリンク機構で前記連動機構を構成したことを特徴とする請求項１記載の車両用ステップ構造。
【発明の詳細な説明】
【技術分野】
【０００１】
本発明は、車両に設けられた車両用ステップ構造に関する。
【背景技術】
【０００２】
従来、車両の乗降口の下部には、ステップが設けられており、乗降時の足場として利用できるように構成されている。
【０００３】
このステップとしては、車体下部に格納される格納タイプが知られており、乗降時にステップを車両側方へ延出できるように構成されている。
【０００４】
このようなステップを最低地上高要件の厳しい車両に採用する場合、ステップを出来るだけ高位置に格納しなければならない。この場合、車両アンダーフロア部品と干渉を避けるために、十分な奥行き寸法を確保することが困難となってしまう。
【０００５】
そこで、ステップを、アームで駆動される主踏面と、該主踏面に回動自在に支持されたフラップとで構成し、該フラップを前記主踏面の延長上に傾倒することで、十分なステップ幅を確保できる構造を考案するに至った。
【発明の開示】
【発明が解決しようとする課題】
【０００６】
しかしながら、このようなステップ構造にあっては、異なる動きをする前記アームと、前記フラップとを駆動する為に、それぞれ独立した駆動源を用いることが考えられるが、制御の複雑化やコストアップが懸念される。
【０００７】
本発明は、このような従来の課題に鑑みてなされたものであり、コストアップを招くことなく制御が容易な車両用ステップ構造を提供することを目的とするものである。
【課題を解決するための手段】
【０００８】
前記課題を解決するために本発明の請求項１の車両用ステップ構造にあっては、ステップを支持したアームをスイングして当該ステップを車両の側方へ延出した展開状態と車両下部側に引き寄せた格納状態とを形成するスイング可動式であって、前記ステップが主踏面と該主踏面に回動可能に支持されたフラップとで構成され、前記格納状態で前記フラップが前記主踏面に対して起立されるとともに前記展開状態で前記フラップが前記主踏面の延長上に配置される車両用ステップ構造において、前記格納状態及び前記展開状態間で前記アームを回動する駆動源と、前記アームのスイング動作に連動して前記フラップを駆動する連動機構と、を備えている。
【０００９】
すなわち、前記駆動源によって前記アームを前記格納状態と前記展開状態間で回動すると、前記主踏面に支持された前記フラップは、前記アームのスイング動作に連動して回動される。
【００１０】
このため、前記アームを駆動する駆動源によって、前記アームのスイングと異なる動きをする前記フラップが駆動される。
【００１１】
また、請求項２の車両用ステップにおいては、前記主踏面に回動自在に支持された前記アームと前記主踏面に回動自在に支持された回動リンクとを連結リンクで連結して前記アームのスイング動作を前記回動リンクの回転動作に変換するとともに、前記主踏面に支持された前記フラップと前記回動リンクとの間にプッシュロッドを設け、前記回動リンクの回転動作に伴って前記プッシュロッドを長さ方向へ移動して前記主踏面に対する前記フラップの角度を可変するリンク機構で前記連動機構を構成した。
【００１２】
すなわち、前記駆動源で前記アームをスイングすると、前記アームのスイング動作は、連結リンクを介して回動リンクに伝達され、当該回動リンクが回転する。すると、この回動リンクの回転動作に伴って、前記プッシュロッドが長さ方向へ移動することで、前記主踏面に対する前記フラップの角度が可変される。
【発明の効果】
【００１３】
以上説明したように本発明の請求項１の車両用ステップ構造にあっては、前記アームのスイング動作に連動して前記フラップを駆動する連動機構を設けることによって、前記アームを駆動する駆動源で前記アームのスイングと異なる動きをする前記フラップを駆動することができる。
【００１４】
したがって、前記アームをスイングする為の駆動源と、前記フラップを駆動する為の駆動源とをそれぞれ設ける場合と比較して、制御を簡素化することができるとともに低コスト化を図ることができる。
【００１５】
また、請求項２の車両用ステップにおいては、前記アームで駆動される連結リンクと、該連結リンクで回動される回動リンクと、該回動リンクの回転動作で前記フラップを駆動する前記プッシュロッドとを設けることで、前記連動機構を構成することができる。
【００１６】
これにより、構造の簡素化を図ることができる。
【発明を実施するための最良の形態】
【００１７】
以下、本発明の一実地の形態を図に従って説明する。図１は、本実施の形態にかかる車両用ステップ構造を備えた車両用ステップ１を示す図であり、スイング可動式の車両用ステップ１が示されている。該車両用ステップ１は、最低地上高要件の厳しい車両に採用されており、当該車両用ステップ１を構成するステップ２は、車両のアンダーフロア部品と干渉を避けるために奥行き方向で二分割されている。
【００１８】
この車両には、前席に乗降する為の前席用乗降口と、後席に乗降する為の後席用乗降口とが設けられており、前記ステップ２は、前記前席用乗降口の下部から前記後席用乗降口の下部に渡る長さに設定されている。これにより、前記前席用乗降口から乗降する際と前記後席乗降口から乗降する際とにおいて、当該ステップ２を足場として利用できるように構成されている。
【００１９】
前記車両の下部には、支持ブラケット１１が固定されており、該支持ブラケット１１からは、支持アーム１２が延出している。該支持アーム１２は、その基端部が前記支持ブラケット１１に回動自在に軸支されており、当該支持アーム１２は、その先端部を車両前後方向へ回動できるように構成されている。
【００２０】
また、前記車両の下部には、前記支持ブラケット１１から離れた位置に、駆動部ブラケット２１が固定されており、該駆動部ブラケット２１からは、駆動アーム２２が延出している。該駆動アーム２２は、その基端部が前記駆動部ブラケット２１に回動自在に軸支されており、当該駆動アーム２２は、その先端部を車両前後方向へ回動できるように構成されている。
【００２１】
前記両アーム１２，２２の先端部には、前記ステップ２が支持されており、前記両アーム１２，２２の基端部を中心にスイングすることで、図１に示したように、前記ステップ２を車両の側方へ延出した展開状態３１を形成できるように構成されている。また、前記両アーム１２，２２の基端部を中心としてスイングすることで、図２に示すように、前記ステップ２を車両下部側へ引き寄せた格納状態３２とを形成できるように構成されている。
【００２２】
前記ステップ２は、前記各アーム１２，２２に支持された主踏面４１と、該主踏面４１の先端部に回動可能に支持されたフラップ４２とで構成されており、該フラップ４２及び前記主踏面４１は、アルミの押し出し成型によって形成されている。
【００２３】
前記フラップ４２は、図１に示したように、前記主踏面４１の延長上に配置された傾倒状態５１を形成できるように構成されており、この傾倒状態５１において、下方への回動が阻止されるように構成されている。これにより、この傾倒状態５１では、前記主踏面４１の上面と前記フラップ４２の上面とが平坦なステップ面を形成するように構成されている。
【００２４】
また、前記フラップ４２は、図２に示したように、図外の付勢手段によって前記主踏面４１に対して起立する方向へ付勢されており、この起立状態６１において、さらなる主踏面４１側への倒れが阻止されるように構成されている。そして、この起立状態６１では、当該フラップ４２を車両のサイドシルに沿って延設できるように構成されている。
【００２５】
前記駆動部ブラケット２１には、図３に示すように、前記駆動アーム２２を回動する駆動部７１が設けられており、該駆動部７１は、前記駆動部ブラケット２１に固定された駆動源としてのモーター７２を備えている。
【００２６】
該モーター７２に設けられた出力ギア８１は、中間ギア８２に噛合しており、該中間ギア８２は、前記駆動アーム２２の基端に形成されたギア部８３に噛合している。これにより、前記モーター７２で前記駆動アーム２２を回動して、前記格納状態３２と前記展開状態３１とを形成できるように構成されている。
【００２７】
前記駆動アーム２２の先端部は、支持軸９１を介して前記主踏面４１に回動自在に支持されており、当該駆動アーム２２には、前記支持軸９１より基端側に連結リンク９２が軸部９３を介して回動自在に軸支されている。この連結リンク９２は、前記主踏面４１に沿って延設されており、当該連結リンク９２の先端側には、前記主踏面４１に回動軸９４を介して回動自在に支持された回動リンク９５が設けられている。
【００２８】
前記連結リンク９２の先端部は、前記フラップ４２側に延出した前記回動リンク９５の延出部１０１に設けられた駆動軸１０２に回動自在に軸支されており、当該連結リンク９２は、前記駆動アーム２２と前記回動リンク９５とを連結して前記駆動アーム２２のスイング動作を前記回動リンク９５の回転動作に変換する変換機構を構成している。
【００２９】
前記回動リンク９５の前記駆動部７１寄りの角部１１１には、プッシュロッド１１２の一端部が折曲されて形成された従動軸１１５が回動自在に挿入されており、当該プッシュロッド１１２の他端部が折曲されて形成された折曲部１１３は、前記フラップ４２の基端部に設けられた係合穴１１４に挿入されている。
【００３０】
これにより、前記回動リンク９５の回転動作に伴って前記プッシュロッド１１２を長さ方向へ進退移動して、前記主踏面４１に対する前記フラップ４２の角度を可変するリンク機構が構成されており、これらによって、前記駆動アーム２２のスイング動作に連動して前記フラップ４２を駆動する連動機構１２１が構成されている。
【００３１】
以上の構成にかかる本実施の形態において、前記駆動部７１のモーター７２を作動して前記駆動アーム２２を前記格納状態３２と前記展開状態３１間で回動することにより、前記主踏面４１に支持された前記フラップ４２を、前記駆動アーム２２のスイング動作に連動して回動することができる。このため、前記駆動アーム２２を駆動する前記モーター７２によって、前記駆動アーム２２のスイングと異なる動きをする前記フラップ４２を駆動することができる。
【００３２】
具体的に説明すると、前記モーター７２で前記駆動アーム２２を格納方向１３１にスイングすると、該駆動アーム２２に支持された前記ステップ２が車両側１３２へ引き寄せられると当時に、前記駆動アーム２２のスイング動作は、前記連結リンク９２を介して前記回動リンク９５に伝達され、当該回動リンク９５が格納方向１３３へ回転する。すると、この回動リンク９５の回転動作に伴って、前記プッシュロッド１１２が長さ方向へ延出する延出方向１３４へ移動することで、前記フラップ４２の基端部を押し出し、当該フラップ４２が前記主踏面４１に対して起立した起立状態６１が形成される。
【００３３】
一方、前記モーター７２を逆転して前記駆動アーム２２を展開方向１４１にスイングすると、該駆動アーム２２に支持された前記ステップ２が車両側方１４２へ向けて延出すると当時に、前記駆動アーム２２のスイング動作は、前記連結リンク９２を介して前記回動リンク９５に伝達され、当該回動リンク９５が展開方向１４３へ回転する。すると、この回動リンク９５の回転動作に伴って、前記プッシュロッド１１２が後退する後退方向１４４へ移動することで、前記フラップ４２の基端部が引き戻され、当該フラップ４２が前記主踏面４１の延長上に延在した傾倒状態５１が形成される。
【００３４】
このように、前記駆動アーム２２のスイング動作に連動して前記フラップ４２を駆動する連動機構１２１を設けることによって、前記駆動アーム２２を駆動する前記モーター７２のみで、前記駆動アーム２２のスイング動作と、この動作と異なる前記フラップ４２の傾倒動作とを同時に行うことがができる。
【００３５】
したがって、前記駆動アーム２２をスイングする為の駆動源と、前記フラップ４２を駆動する為の駆動源とをそれぞれ設ける場合と比較して、制御を簡素化することができるとともに低コスト化を図ることができる。
【００３６】
また、前記駆動アーム２２で駆動される前記連結リンク９２と、該連結リンク９２で回動される前記回動リンク９５と、該回動リンク９５の回転動作で前記フラップ４２を駆動する前記プッシュロッド１１２とを設けることで、前記連動機構１２１を構成することができる。
【００３７】
これにより、構造の簡素化を図ることができる。
【図面の簡単な説明】
【００３８】
【図１】本発明の一実施の形態を示す図である。
【図２】同実施の形態の格納状態を示す図である。
【図３】同実施の形態の機構部分を示す説明図である。
【符号の説明】
【００３９】
１    車両用ステップ
２    ステップ
２２    駆動アーム
３１    展開状態
３２    格納状態
４１    主踏面
４２    フラップ
７２    モーター
９２    連結リンク
９５    回動リンク
１１２    プッシュロッド
１２１    連動機構
【図１】
2008222183.tif 000003
【図２】
2008222183.tif 000004
【図３】
2008222183.tif 000005